(57)【要約】【課題】針を進退自在に収容した針収容型押しピンの操作性や安全性を向上させること。【解決手段】本発明では、針(4)を進退自在に収容した針収容型押しピン(1)において、針(4)を設けた本体(5)と、本体(5)に摺動自在に設けるとともに針(4)を突出させるための貫通孔(15)を形成したカバー体(6)とから構成し、針(4)をカバー体(6)の内部に収容した状態で本体(5)とカバー体(6)とを連通する通気路(17)を形成することにした。また、前記通気路(17)は、針収容型押しピン(1)によって止着される被止着物(3)を押圧する押圧面(18)に通気口(19)を形成することにした。また、前記押圧面(18)に被止着物(3)を押圧するための押圧突起(20)を形成することにした。さらに、前記本体(5)にフック(22)を収容姿勢と使用姿勢とに姿勢変更可能に設けることにした。【選択図】図３
2010184433.tif 000002
【特許請求の範囲】
【請求項１】
針を進退自在に収容した針収容型押しピンにおいて、
針を設けた本体と、本体に摺動自在に設けるとともに針を突出させるための貫通孔を形成したカバー体とから構成し、針をカバー体の内部に収容した状態で本体とカバー体とを連通する通気路を形成したことを特徴とする針収容型押しピン。
【請求項２】
前記通気路は、針収容型押しピンによって止着される被止着物を押圧する押圧面に通気口を形成したことを特徴とする請求項１に記載の針収容型押しピン。
【請求項３】
前記押圧面に被止着物を押圧するための押圧突起を形成したことを特徴とする請求項２に記載の針収容型押しピン。
【請求項４】
前記本体にフックを収容姿勢と使用姿勢とに姿勢変更可能に設けたことを特徴とする請求項１〜請求項３のいずれかに記載の針収容型押しピン。
【発明の詳細な説明】
【技術分野】
【０００１】
本発明は、針を進退自在に収容した針収容型押しピンに関するものである。
【背景技術】
【０００２】
従来より、壁面にポスターや写真などを貼り付けるために、針の基端に頭部を形成した押しピン（画鋲）が多用されている。
【０００３】
この押しピンは、先鋭状の針が露出しているために、人体を傷つけるおそれがあり、安全性の向上が望まれている。
【０００４】
そのため、従来より、針部分にカバーを被せて、カバーの内部に針を進退自在に収容可能に形成し、針をカバーの外部に進出させて露出させてから使用する一方、未使用時には針をカバーの内部に収容させて針を外部に露出させないようにした針収容型押しピンが考案されている（たとえば、特許文献１参照。）。
【先行技術文献】
【特許文献】
【０００５】
【特許文献１】実開平１−１５８１９７号公報
【発明の概要】
【発明が解決しようとする課題】
【０００６】
ところが、上記従来の針収容型押しピンでは、使用時に針を進出させる際にカバーの内部の空気が外部に円滑に排出されないこともあり、操作性が良好なものではなかった。
【０００７】
しかも、上記従来の針収容型押しピンでは、針を被覆するためにカバーを設けた構造としたことによって全体のサイズが増大しており、幼児などが誤って飲み込んでしまった場合に、のどに詰まって窒息してしまうおそれがあった。
【課題を解決するための手段】
【０００８】
そこで、請求項１に係る本発明では、針を進退自在に収容した針収容型押しピンにおいて、針を設けた本体と、本体に摺動自在に設けるとともに針を突出させるための貫通孔を形成したカバー体とから構成し、針をカバー体の内部に収容した状態で本体とカバー体とを連通する通気路を形成することにした。
【０００９】
また、請求項２に係る本発明では、前記請求項１に係る本発明において、前記通気路は、針収容型押しピンによって止着される被止着物を押圧する押圧面に通気口を形成することにした。
【００１０】
また、請求項３に係る本発明では、前記請求項２に係る本発明において、前記押圧面に被止着物を押圧するための押圧突起を形成することにした。
【００１１】
また、請求項４に係る本発明では、前記請求項１〜請求項３のいずれかに係る本発明において、前記本体にフックを収容姿勢と使用姿勢とに姿勢変更可能に設けることにした。
【発明の効果】
【００１２】
そして、本発明では、以下に記載する効果を奏する。
【００１３】
すなわち、本発明では、針を進退自在に収容した針収容型押しピンにおいて、針を設けた本体と、本体に摺動自在に設けるとともに針を突出させるための貫通孔を形成したカバー体とから構成し、針をカバー体の内部に収容した状態で本体とカバー体とを連通する通気路を形成しているために、使用時に針を進出させる際にカバー体の内部の空気を通気路から外部に円滑に排出することができるので、針収容型押しピンの操作性を向上させることができ、針収容型押しピンの使い勝手を向上させることができる。
【００１４】
しかも、本発明では、たとえ幼児などが針収容型押しピンを誤って飲み込んでのどに詰まらせてしまっても、通気路によって気道が確保されることになるので、窒息を防止することができ、針収容型押しピンの安全性をより一層向上させることができる。
【００１５】
特に、針収容型押しピンによって止着される被止着物を押圧する押圧面に通気路の通気口を形成することにした場合には、針収容型押しピンで被止着物を止着する時に通気口から排出される空気で被止着物を押圧することになり、被止着物のずれを防止することができるので、針収容型押しピンの使い勝手をより一層向上させることができる。
【００１６】
また、押圧面に被止着物を押圧するための押圧突起を形成することにした場合には、押圧突起によって被止着物のずれを防止することができるとともに、押圧面と被止着物との間に押圧突起の高さ分の間隙が形成されることになり、その間隙から針収容型押しピンで被止着物を止着する時に通気口から排出される空気を外部に良好に排出させることができるので、針収容型押しピンの操作性を向上させることができ、針収容型押しピンの使い勝手を向上させることができる。
【００１７】
さらに、本体にフックを収容姿勢と使用姿勢とに姿勢変更可能に設けることにした場合には、フックを使用しないときには収容姿勢としておくことでフックが邪魔にならず、一方、フックを使用姿勢とすることで小物などを吊下げることができる。
【図面の簡単な説明】
【００１８】
【図１】本発明に係る針収容型押しピンの使用状態を示す説明図（（ａ）側面視、（ｂ）正面視）。
【図２】針収容型押しピンの正面図（ａ）、平面図（ｂ）、底面図（ｃ）。
【図３】同正面断面図（ａ）、Ｉ−Ｉ断面図（ｂ）、II−II断面図（ｃ）。
【図４】同使用時の正面断面図。
【発明を実施するための形態】
【００１９】
以下に、本発明に係る針収容型押しピンの具体的な構成について図面を参照しながら説明する。
【００２０】
針収容型押しピン１は、図１に示すように、主に壁２にシート（被止着物３）を貼り付ける（止着する）ときに使用されるものであり、被止着物３とともに壁２に突き刺す針４を進退自在に収容し、針４を外部に進出させて露出させてから使用し（図１、図４参照。）、未使用時には針４を内部に収容させて針４を外部に露出させないようにしている（図２、図３参照。）。
【００２１】
また、針収容型押しピン１は、図１に示すように、フック22を収容可能に設けており、このフック22を用いて小物を吊下げることができるようになっている。
【００２２】
この針収容型押しピン１は、図１〜図４に示すように、針４を設けた本体５と、針４の先端部を進退自在に被覆するカバー体６とで構成している。
【００２３】
本体５は、概略縦長立方体形状となっており、内部に針４の基端部を埋設し、針４の先端部を下端面の下方に向けて垂直に突出させている。
【００２４】
また、本体５は、内部に水平断面円環形状の摺動溝７を形成し、この摺動溝７にカバー体６を上下摺動自在に取付けている。この摺動溝７は、下端部外周縁に爪片８を形成するとともに、上端部に外部に連通する貫通状の通路９を４個形成している。
【００２５】
さらに、本体５は、側面視Ｌ字状のフック22の基端部に形成した左右一対のブラケット23,23を下端部で回動自在に軸支するとともに、外側面に形成した溝24にフック22を収容できるようにしている。
【００２６】
これにより、針収容型押しピン１は、本体５に沿ってフック22を収容した収容姿勢（図４中に実線で示す姿勢）と本体５からフック22を露出した使用姿勢（図４中に一点鎖線で示す姿勢）とにフック22を姿勢変更できるようにしている。
【００２７】
カバー体６は、概略中空円筒形状となっており、上端を開口させた水平断面円環形状の筒体10の下端に円板形状の蓋体11を取付けた構造となっている。
【００２８】
筒体10は、上端部外周縁に爪片12を形成するとともに、上部内周面に仮止め用突起13を円周方向に間隔をあけて４個形成し、周面に貫通状の通路25を形成している。
【００２９】
この筒体10は、本体５の摺動溝７に進退自在（上下動自在）に収容しており、摺動溝７の下端部において両方の爪片8,12が係止することで抜け止めされ、仮止め用突起13で仮止めされている。ここで、本体５の摺動溝７の内周壁と筒体10の内周壁との間には、間隙を設けて通路14を形成している。
【００３０】
蓋体11は、中央部に針４の先端部を挿通させることで針４を外部に突出させるための貫通孔15を形成するとともに、筒体10よりも内側に貫通状の通路16を円周方向に４個形成している。
【００３１】
これにより、針収容型押しピン１は、本体５に設けた通路９及び摺動溝７と、本体５とカバー体６との間に設けた通路14と、カバー体６に設けた通路16,25によって、針４をカバー体６の内部に収容した状態で本体５とカバー体６とを連通する通気路17を形成している。
【００３２】
また、蓋体11は、被止着物３を止着する際に被止着物３を押圧する押圧面18を下端に形成し、押圧面18に通気路17の通気口19を円周方向に間隔をあけて４個形成するとともに、押圧面18に被止着物３を押圧するための先鋭状の押圧突起20を円周方向に間隔をあけて４個形成している。
【００３３】
以上に説明したように、針収容型押しピン１は、針４を設けた本体５と、本体５に摺動自在に設けるとともに針４を突出させるための貫通孔15を形成したカバー体６とによって、針４を進退自在に収容した構成としている。
【００３４】
そして、針収容型押しピン１は、未使用時には図２又は図３に示すように、本体５に沿ってカバー体６を下方に摺動させることによって針４をカバー体６の内部に収容して針４が外部に露出しないようになっている。
【００３５】
これにより、上記構成の針収容型押しピン１では、先鋭状の針４が外部に露出していないために、針４で人体を傷つけてしまうことがなく、安全性が向上される。
【００３６】
一方、針収容型押しピン１は、使用時には図１又は図４に示すように、カバー体６で針４を被覆したままカバー体６の押圧面18で被止着物３を壁２に押圧し、その後、本体５を壁２に向けて押し込むことで本体５がカバー体６に沿って摺動して、針４がカバー体６の貫通孔15から外部に進出して露出し、被止着物３とともに壁２に針４が突き刺さり、壁２に被止着物３を止着することができるようになっている。
【００３７】
しかも、上記針収容型押しピン１では、針４をカバー体６の内部に収容した状態で本体５とカバー体６とを連通する通気路17を形成している。
【００３８】
そのため、上記構成の針収容型押しピン１では、使用時に針４を進出させる際にカバー体６の内部の空気を通気路17（通路9,16,25）から外部に円滑に排出することができるので、針収容型押しピン１の操作性を向上させることができ、針収容型押しピン１の使い勝手を向上させることができる。
【００３９】
特に、上記構成の針収容型押しピン１では、たとえ幼児などが針収容型押しピン１を誤って飲み込んでのどに詰まらせてしまっても、通気路17によって気道が確保されることになるので、窒息を防止することができ、針収容型押しピン１の安全性をより一層向上させることができる。
【００４０】
また、上記針収容型押しピン１では、針収容型押しピン１によって止着される被止着物３を押圧する押圧面18に通気路17の通気口19を形成している。
【００４１】
そのため、上記構成の針収容型押しピン１では、針収容型押しピン１で被止着物３を止着する時に押圧面18に形成した通気口19から排出される空気で被止着物３を押圧することになり、被止着物３のずれを防止することができるので、針収容型押しピン１の使い勝手をより一層向上させることができる。
【００４２】
また、上記針収容型押しピン１では、押圧面18に被止着物３を押圧するための押圧突起20を形成している。
【００４３】
そのため、上記構成の針収容型押しピン１では、押圧突起20によって被止着物３のずれを防止することができるとともに、押圧面18と被止着物３との間に押圧突起20の高さ分の間隙21が形成されることになり、その間隙21から針収容型押しピン１で被止着物３を止着する時に通気口19から排出される空気を外部に良好に排出させることができるので、針収容型押しピン１の操作性を向上させることができ、針収容型押しピン１の使い勝手を向上させることができる。
【００４４】
また、上記針収容型押しピン１では、本体５にフック22を収容姿勢と使用姿勢とに姿勢変更可能に設けている。
【００４５】
そのため、上記構成の針収容型押しピン１では、フック22を使用しないときには収容姿勢としておくことでフック22が邪魔にならず、一方、フック22を使用姿勢とすることで小物などを吊下げることができる。
【符号の説明】
【００４６】
１  針収容型押しピン              ２  壁
３  被止着物                      ４  針
５  本体                          ６  カバー体
７  摺動溝                        ８  爪片
９  通路                          10  筒体
11  蓋体                          12  爪片
13  仮止め用突起                  14  通路
15  貫通孔                        16  通路
17  通気路                        18  押圧面
19  通気口                        20  押圧突起
21  間隙                          22  フック
23  ブラケット                    24  溝
25  通路
【図１】
2010184433.tif 000003
【図２】
2010184433.tif 000004
【図３】
2010184433.tif 000005
【図４】
2010184433.tif 000006